(57)【要約】【課題】スーパーマーケットなどで商品を購入した際に持ち帰り用袋として用いられるビニール袋を持つ際には、ビニール袋の握り手を腕に掛けたり手で握って持つことで、飲料などの重量物の場合にはそのビニール袋が腕に食い込んだり、手に食い込んだりし、痛みを感じることがあり、重みにより持ち歩けないのではなく、痛みに耐えられなくて持ち歩けないという状況に陥る。【解決手段】腕に掛けるときはその腕に、手に持つときはその手に硬質樹脂などで作られた保護具を介して持つことにより、その痛みを和らげる。【選択図】図１
2010255154.tif 000002
【特許請求の範囲】
【請求項１】
手または腕または肩の少なくとも上部を覆う形状の軽量硬質材を用いた保護具であって、その保護具表面に突出部を設け、一端を逆曲面となるカール状であることを特徴とする手荷物携行用保護具。
【請求項２】
保護具が折り曲げ自在となるように軽量硬質材片が軟質シート上に配置された形態または軽量硬質材片が連結した形態であることを特徴とする請求項１記載の手荷物携行用保護具。
【請求項３】
保護具に人体との接面に軟質材を内接することを特徴とする請求項１記載または請求項２記載の手荷物携行用保護具。
【発明の詳細な説明】
【技術分野】
【０００１】  この発明は、買い物袋などを腕に掛けて持つときや手で持つとき、または大きな荷物の場合には肩に掛けて持つときなどの腕や手や肩への保護具に関する。
【背景技術】
【０００２】  一般的に、スーパーマーケットやコンビニエンスストアーでは、購入した品物の持ち帰り用袋としてビニール袋が用いられており、その袋の握り手部分を手で握って持つ場合や、腕を通して持つ場合や、主に大きい物または重い物は肩に掛けて持ち運ぶ場合がある。
【発明の概要】
【発明が解決しようとする課題】
【０００３】  ビニール袋の握り手が袋内の重量が重い場合は、持った身体位置への食い込みが発生する。さらに、握り手が細い場合や薄いビニールでは握り手が丸まりやすいので一線集中に重量負担が掛かることになる。そこで、この発明は、手・腕・肩への袋類の握り手の食い込みに対する人体の保護具を提供することを課題とする。
【課題を解決するための手段】
【０００４】  以上の課題を解決するために鋭意研究したところ、第一に、硬質樹脂などを腕の上面に沿った形状に成型した保護具を装着し、ビニール袋の主に二つの握り手が寄り合わないようにする突出部を保護具の上面に設けることを特徴とする手荷物携行用保護具である。
第二には、半円筒形の成型した手荷物携行用保護具では、この保護具自身の持ち運びに不便を感じるため、および／または安定装着のため、縦分割として折り曲げ可能となる構成とすることを特徴とする手荷物携行用保護具である。
また、第三として、その手荷物携行用保護具の裏面に柔らかいウレタンなどの海綿体を用いたクッション層を構成として、人体への圧迫感を和らげる緩衝材を内設することを特徴とする手荷物携行用保護具である。
第四として、内肘側のカール部はそのカール部を手のひらでの手荷物携行時に保護することにもできる形状とする手荷物携行用保護具である。
【発明の効果】
【０００５】  上記発明によれば、重い飲料などを入れたビニール袋を腕に掛けても、腕に食い込むことも無く、痛みも和らいだ状態で、いつもの苦痛を感じること無く持ち運ぶことが出来た。また、手荷物携行用保護具の装着による歩行や動作の不便さは感じられなかった。
【図面の簡単な説明】
【０００６】
【図１】手荷物携行用保護具側面図とＡ−Ａ線断面図である。
【図２】軟質材を主体とした手荷物携行用保護具の三面図である。
【図３】この発明の一実施形態を示す手荷物携行用保護具を腕に装着した図である。
【図４】この発明の一実施形態を示す手荷物携行用保護具を手に装着した図である。
【図５】手荷物携行用保護具を折り曲げ可能な分割形体とした場合の上面・側面・Ｂ−Ｂ断面図である。
【図６】図５を腕に装着した斜視図である。
【発明を実施するための形態】
【０００７】  この発明の一実施形態を、図１から図６に示す。
図１は、この手荷物携行用保護具（１）は硬質樹脂製であって、腕の形状に合わせた曲面を保ち、突出部（２）が２ヶ所設けられ、裏側の腕に接する部分にはウレタンシート（４）が貼り付けられている。
【０００８】  図２は、手荷物携行用保護具（１）の主体を軟質樹脂とし補強部に硬質樹脂を用い、それぞれを溶着している。
【０００９】  図３の手荷物携行用保護具（１）の内肘関節側の端にはカール部（３）を設け、内肘側にずれ落ちない形状となっており、左図は未使用なためビニール袋握り手が一線に集中しているが、手荷物携行用保護具使用の右図ではビニール袋握り手が突出部（２）により分散している。
【００１０】  図４では、ビニール袋を手で持った場合の図であり、図３のように手荷物携行用保護具（１）の一端が手でビニール袋握り手を引っ掛けて持つ形状に合わせた曲面を持つカール部（３）に形成されているため、手荷物携行用保護具（１）を縦に持ちそのカール部内側にビニール袋握り手を掛け、それを覆うように外側を手で握り持てる形状としている。
【００１１】  図５は、手荷物携行用保護具（１）を折り曲げ可能なように縦分割した形状となることと、下層にはウレタンシート（４）を設けているので、人体へ密接しやすい構成となる。また、この実施例では、本体を固定するためのベルト（５）も設けている。
【００１２】  図６は、図５を腕に装着し固定ベルトにて定着させた図である。
【実施例】
【００１３】  この実施形態の図１によれば、突出部（２）により歩行時の身体の動きや、それによるビニール袋内の荷物の動きに関係なく、一定位置に固定が出来、その一定位置であっても硬質樹脂により重量は手荷物携行用保護具（１）全体に分散し、なおかつウレタンシートでさらに圧迫感は和らげられる。図３も、カール部（３）により一点集中の重量感は硬質樹脂にて分散され、ウレタン層に吸収されることは図１と同じであり、腕や手への痛みは大幅に緩和される。
【他の実施形態】
【００１４】  図１の実施形態では、すべり止めは２個の突出部であったが、他の実施形態では、数多くの突出部（２）やまたは表面に柔らかく滑りにくい材質を用いても良い。
また、表面の軽量硬質材を実施例では硬質樹脂を用いているが、アルミニウムや木材や竹などであっても強度に問題が無ければ構わなく、さらに手荷物携行用保護具（１）は図１のような１枚のプレート形が基本形となるが、図５の樹脂製プレートを棒状とした形状とし、自由に人体の装着する部分に対応し密接させることが出来、収納する際に丸めてコンパクトに鞄などへ収納できることを可能とする形状であっても良い。
【００１５】  違った用途では、図１で裏側のウレタンシート（４）を設けなかった場合には靴べらとしての利用も可能であった。
【符号の説明】
【００１６】    １  手荷物携行用保護具              ２  突出部
３  カール部                        ４  軟質材を用いたクッションシート
５  固定バンド                      ６  軟質材を用いた本体
７  硬質材を用いた補強部
【図１】
2010255154.tif 000003
【図２】
2010255154.tif 000004
【図３】
2010255154.tif 000005
【図４】
2010255154.tif 000006
【図５】
2010255154.tif 000007
【図６】
2010255154.tif 000008